【手続補正書】
【提出日】平成16年6月23日(2004.6.23)
【手続補正１】
【補正対象書類名】明細書
【補正対象項目名】全文
【補正方法】変更
【補正の内容】
【書類名】      明細書
【発明の名称】  管継手のソケット
【特許請求の範囲】
【請求項１】
プラグを受入れる筒状プラグ受入れ部を有するソケット本体であって、上記筒状プラグ受入れ部に挿入されたプラグの流体通路と連通する流体通路を有し、上記筒状プラグ受入れ部に半径方向貫通孔を有するソケット本体と、
半径方向貫通孔内に設定された施錠子であって、上記筒状プラグ受入れ部に挿入されたプラグの外側表面に形成された施錠子受入れ凹部に係合し、プラグが該筒状プラグ受入れ部から引き抜かれるのを防ぐ係合位置と、該係合位置に対して相対的に半径方向外側に位置し、プラグの施錠子受入れ凹部との係合が外れてプラグが上記筒状プラグ受入れ部から引き抜かれるのを許容する係合解除位置との間で変位可能とされた施錠子と、
上記筒状プラグ受入れ部上に設けられた外側可動部材であって、上記施錠子を上記係合位置に押圧する施錠位置と、同施錠子が上記係合解除位置となるのを許容する開錠位置との間を軸線方向に変位可能とされた外側可動部材と、
上記外側可動部材と係合して同外側可動部材を上記開錠位置に固定する固定子であって、上記プラグが上記筒状プラグ受入れ部に挿入されて上記施錠子受入れ凹部が上記施錠子を軸線方向で受入れる位置とされているときに、上記外側可動部材との係合が外れて同外側可動部材が上記施錠位置に動くのを許容する固定子とを有することを特徴とする、プラグとソケットとからなる管継手のソケット。
【請求項２】
請求項１に記載のソケットであって、
上記筒状プラグ受入れ部内に設定された内側可動部材であって、上記施錠子と係合し,
同施錠子を上記係合解除位置に保持する前進位置と、上記施錠子が上記係合位置となるのを許容する後退位置との間で軸線方向に変位可能とされた内側可動部材と、
上記内側可動部材を上記前進位置に向けて付勢する付勢部材とを有し、
上記内側可動部材は、上記筒状プラグ受入れ部に挿入されたプラグによって上記前進位置から上記後退位置に変位させられ、該プラグの上記施錠子受入れ凹部が上記施錠子を軸線方向で受入れる位置とされたときに、上記固定子と上記外側可動部材との係合が外れるのを許容する
ことを特徴とするソケット。
【請求項３】
請求項１に記載のソケットであって、
上記筒状プラグ受入れ部内に設定された内側可動部材であって、上記施錠子受入れ凹部が上記施錠子を受入れる位置となるまで上記筒状プラグ受入れ部内に挿入されたプラグによって後退させられた後退位置と、上記後退位置よりも上記施錠子に近い前進位置との間で軸線方向で変位可能とされた内側可動部材と、
上記内側可動部材を上記前進位置に向けて付勢する付勢部材とを有し、
上記内側可動部材は、上記固定子を半径方向外側に押圧して上記外側可動部材と係合させ、同外側可動部材を上記開錠位置に固定するとともに、前進位置から所定量だけに後退させられたときには該固定子の該外側可動部材との係合を解除し、該外側可動部材が上記施錠位置に動くのを許容するようにされていることを特徴とするソケット。
【請求項４】
請求項１乃至３に記載のソケットであって、
該ソケットが上記プラグに向けて前進されて、上記プラグが上記筒状プラグ受入れ部内に挿入され、施錠子受入れ凹部が上記施錠子を軸線方向で受入れる位置となったとき、上記筒状プラグ受入れ部が上記プラグによって係合され、更なる前進が阻止され、
当該ソケットが、更に、上記外側可動部材に連結されたハンドルであって、作業者が該ハンドルを把持することによって上記ソケットを保持し、プラグとソケットとの結合作業ができるようにしたハンドルを有することを特徴とするソケット。
【請求項５】
請求項４に記載のソケットであって、
上記ハンドルは一対のグリップ部材を有し、該グリップ部材はソケットの横断方向で相互に分離され、ソケットの後部に位置し、上記外側可動部材の両側部に接続されていることを特徴とするソケット。
【発明の詳細な説明】
【０００１】
【発明の属する技術分野】
本発明はスリーブを操作してソケットとプラグを着脱する施錠機構を備えた管継手に関する。
【０００２】
【従来の技術】
従来、スリーブを操作してソケットとプラグを着脱する施錠機構を備えた管継手として、ソケットに、その先端部に施錠子を求遠心方向に出没自在に備え、その先端部外周には前進して前記施錠子を求心方向に押圧し後退して解放する操作スリーブを摺動自在に嵌合するとともに、先端部内周には、前進して前記施錠子の没入を阻止し後退して没入を可能とするカラーを摺動自在に嵌合し、他方プラグには、その先端部外周に前記施錠子が係合する係合溝を形成し、前記ソケットに挿入したプラグの先端に押されて前記カラーが後退し、挿入したプラグの係合溝が前記施錠子に達したとき、スプリングに前進方向に付勢されているスリーブが、求心方向への没入が可能となった施錠子を求心方向に押圧して前記係合溝に係合させるワンタッチ形式の施錠機構を有する管継手が知られている（特許文献
１参照）。
【０００３】
【特許文献１】
特開２００１−４１３８１号公報
【０００４】
【発明が解決しようとする課題】
しかしながら、前記の管継手では、例えば、ソケットにプラグの先端部を挿入する場合、該施錠子がプラグの外周の係合溝に係合するに至る前に、何らかの理由で、プラグが急激にソケットから引き抜かれてしまう場合があり、この場合、プラグの押圧から解放されたカラーが前進して前記施錠子を遠心方向に押し上げる前に、スプリングにより前進方向に付勢されているスリーブにより施錠子が押圧され求心方向へ移動してしまい、ソケットにプラグが挿入されていないにも拘わらず、施錠機構がロックするといったミスロックの状態になってしまうことがあり、ミスロックされたソケットとプラグを再度接続しようとする場合、前記ミスロック状態にある施錠機構を元の状態に戻すといった煩わしい操作を必要とするといった問題があった。
【０００５】
本発明の目的は、プラグをソケットに挿入する作業において、何らかの理由でプラグが急激に引き抜かれたとしても、上記の如きミスロックが発生するのを防止できるようにした管継手を提供することにある。
【０００６】
【課題を解決するための手段】
上記の目的を達成するために本発明は、
プラグ（以下に述べる発明の実施形態においては、参照番号２で示している）を受入れる筒状プラグ受入れ部（同実施形態における「筒体２０」に相当）を有するソケット本体（３）であって、上記筒状プラグ受入れ部に挿入されたプラグの流体通路と連通する流体通路を有し、上記筒状プラグ受入れ部に半径方向貫通孔を有するソケット本体と、
半径方向貫通孔内に設定された施錠子（２２）であって、上記筒状プラグ受入れ部に挿入されたプラグの外側表面に形成された施錠子受入れ凹部（「係合溝６４」）に係合し、プラグが該筒状プラグ受入れ部から引き抜かれるのを防ぐ係合位置と、該係合位置に対して相対的に半径方向外側に位置し、プラグの施錠子受入れ凹部との係合が外れてプラグが上記筒状プラグ受入れ部から引き抜かれるのを許容する係合解除位置との間で変位可能とされた施錠子と、
上記筒状プラグ受入れ部に設けられた外側可動部材（「スリーブ２４」）であって、上記施錠子を上記係合位置に押圧する施錠位置と、同施錠子が上記係合解除位置となるのを許容する開錠位置との間を軸線方向に変位可能とされた外側可動部材と、
上記外側可動部材と係合して同外側可動部材を上記開錠位置に固定する固定子（３０）であって、上記プラグが上記筒状プラグ受入れ部に挿入されて上記施錠子受入れ凹部が上記施錠子を軸線方向で受入れる位置とされているときに、上記外側可動部材との係合が外れて同外側可動部材が上記施錠位置に動くのを許容する固定子とを有することを特徴とする、プラグに連結されるソケットを提供する。
【０００７】
具体的には、上記ソケットは、
上記筒状プラグ受入れ部内に設定された内側可動部材（「カラー２７」）であって、上記施錠子と係合し,同施錠子を上記係合解除位置に保持する前進位置と、上記施錠子が上記係合位置となるのを許容する後退位置との間で軸線方向に変位可能とされた内側可動部材と、
上記内側可動部材を上記前進位置に向けて付勢する付勢部材（「スプリング２８」）とを有し、
上記内側可動部材は、上記筒状プラグ受入れ部に挿入されたプラグによって上記前進位置から上記後退位置に変位させられ、該プラグの上記施錠子受入れ凹部が上記施錠子を軸線方向で受入れる位置とされたときに、上記固定子と上記外側可動部材との係合が外れるのを許容するものとすることができる。
【０００８】
また、上記ソケットは、
上記筒状プラグ受入れ部内に設定された内側可動部材であって、上記施錠子受入れ凹部が上記施錠子を受入れる位置となるまで上記筒状プラグ受入れ部内に挿入されたプラグによって後退させられた後退位置と、上記後退位置よりも上記施錠子に近い前進位置との間で軸線方向で変位可能とされた内側可動部材と、
上記内側可動部材を上記前進位置に向けて付勢する付勢部材とを有し、
上記内側可動部材は、上記固定子を半径方向外側に押圧して記外側可動部材と係合させ、同外側可動部材を上記開錠位置に固定するとともに、前進位置から所定量だけ後退させられたときには上記固定子の上記外側可動部材との係合を解除し、該外側可動部材が上記施錠位置に動くのを許容するようにされているものとすることができる。
【０００９】
さらに、該ソケットが上記プラグに向けて前進されて、上記プラグが上記筒状プラグ受入れ部内に挿入され、施錠子受入れ凹部が上記施錠子を軸線方向で受入れる位置となったとき、上記筒状プラグ受入れ部が上記プラグによって係合され、更なる前進が阻止され、
当該ソケットが、更に、上記外側可動部材に連結されたハンドルであって、作業者が該ハンドルを把持することによって上記ソケットを保持し、プラグとソケットとの結合作業ができるようにしたハンドルを有するものとすることができる。
【００１０】
上記ハンドルは一対のグリップ部材を有し、該グリップ部材はソケットの横断方向で相互に分離され、ソケットの後部に位置し、上記外側可動部材の両側部に接続されているものとすることができる。
【００１１】
【発明の実施の形態】
図１乃至図６は本発明に係る管継手の実施の形態の一例を示したものである。
図１は本例の管継手を構成するソケットとプラグの接続前の状態を示す縦断面図、図２は図１に示すソケットの平面図、図３はソケットにプラグの先端を挿入し始めてソケットの施錠子がプラグの外周の係合溝に収まる寸前の状態を示す要部縦断面図、図４はソケットの施錠子がプラグの外周の係合溝に収まった状態を示す要部縦断面図、図５はソケットとプラグが接続された状態を示す縦断面図、図６はソケットとプラグの接続後にハンドルの操作でボールバルブを開いた状態を示す縦断面図である。
【００１２】
本例の管継手は、ソケット１と、該ソケット１に着脱自在に接続されるプラグ２とで構成されている。前記ソケット１は、筒状のソケット本体３を備え、その内部にはソケット流体通路４が形成されている。このソケット流体通路４には、その開閉をするボールバルブ５が組み込まれており、このボールバルブ５を挟んでソケット流体通路４の一方をソケット流体通路４に流体を供給する１次側流体通路４ａ、他方をソケット流体通路４から流体を送り出す２次側流体通路４ｂとしている。
【００１３】
ボールバルブ５は、ソケット本体３を垂直に貫通するボールバルブ回転軸６で回転されるようになっている。ボールバルブ５を貫通するボールバルブ回転軸６の外周部分は四角形になっていて、ボールバルブ回転軸６の回転時にスリップさせずにボールバルブ５を回転させることができるようになっている。ボールバルブ５とボールバルブ回転軸６には、１次側流体通路４ａと２次側流体通路４ｂを合致させソケット流体通路４を開くバルブ孔７が貫通して設けられている。ボールバルブ回転軸６とソケット本体３との間にはガイド８が設けられている。
【００１４】
かかるソケット１には前記ボールバルブ回転軸６を回転させてボールバルブ５を開閉させるバルブ操作手段９を備えている。本例では、バルブ操作手段９として、前記ソケット本体３の外側に突出しているボールバルブ回転軸６の一端部に、ソケット本体３の外側でボールバルブ回転軸６を回転させて前記ボールバルブ５を開閉操作するバルブ開閉ハンドル１０を固定している。このバルブ開閉ハンドル１０の取付け位置の下でソケット本体３の上には、押さえ部材１１，１２が配置されてソケット本体３に固定されている。ボールバルブ回転軸６の外周で、ソケット本体３と押さえ部材１１の間にはシールリング１３が装着されている。
【００１５】
ソケット本体３の１次側には、内部を１次側流体通路４ａとする固定筒体１４が螺着されており、ソケット本体３と固定筒体１４との間はバックアップリングを並設したシールリング１５でシールされている。前記固定筒体１４にはホースＨが接続固定される。
【００１６】
前記固定筒体１４の先端内周には、１次側流体通路４ａの内壁、即ち固定筒体１４の内壁とボールバルブ５との間をシールする筒状シール体１６が嵌合されている。この筒状シール体１６は、スプリング１７によりボールバルブ５に加圧接触するように付勢されている。スプリング１７の基端は、固定筒体１４の段部１８で支持されている。固定筒体１４と筒状シール体１６間にはシールリング１９が装着されている。
【００１７】
ソケット本体３の２次側には、その先端部外周にソケット本体３と一体となってソケット本体３の先端部を構成する筒体２０が螺着されている。この筒体２０の先端部には、ソケット１とプラグ２を接続する施錠機構２１を備えている。
【００１８】
この施錠機構２１にあっては、本例では、周方向にボール等からなる施錠子２２を求遠心方向に出没自在に嵌合した複数の施錠子嵌合孔２３が筒体２０に設けられ、そして、この筒体２０の外周には、前進して施錠子２２を求心方向に押さえ、後退してその押さえを解放するスリーブ２４が軸方向に移動自在に嵌合されている。また、筒体２０の先端外周には、前進するスリーブ２４に当接してその抜け止めするストッパ２５が設けられ、先端には施錠子嵌合孔２３への埃等の付着を防止するためのストッパ兼保護筒２６が固定されている。
【００１９】
また、筒体２０の内部には、前進位置にて施錠子２２を求心方向から支え没入を阻止し、後退して施錠子２２から離れて施錠子２２の求心方向への移動を可能にするカラー２７が軸方向に移動自在に嵌合されている。このカラー２７は、スプリング２８により前進方向に付勢されており、ソケット１とプラグ２の接続時にプラグ２の先端で押されて後退するようになっている。
【００２０】
更に、前記施錠機構２１には、前記スリーブ２４を後退位置で固定し、前記ソケット１に挿入したプラグ２の外周に形成された後述するところの係合溝が前記施錠子２２の係合可能な位置に達したとき前記固定を解くスリーブ固定手段２９を備えている。
【００２１】
このスリーブ固定手段２９にあっては、本例では、次のように構成されている。前記ソケット１の筒体２０に備えた前記施錠子２２の後方に位置して、周方向にボール等からなる固定子３０を求遠心方向に出没自在に嵌合した複数の固定子嵌合孔３１が筒体２０に設けられ、そして、前記スリーブ２４の内周には、後退位置で遠心方向に移動した前記固定子３０に係止可能な係止溝３２が形成されており、また、前記カラー２７の外周に、カラー２７が前進位置にあるときその外周面で前記固定子３０の没入を阻止し遠心方向に移動させる押圧凸部３３が設けられているとともに、前記プラグ２の挿入により後退し、前記プラグ２の係合溝が前記施錠子２２の係合可能な位置に達したときに前記固定子３０の没入を可能とする解放凹部３４が設けられた構造となっている。
【００２２】
前記カラー２７の外周面に形成された押圧凸部３３と解放凹部３４は、カラー２７の外径を大径部と小径部にすることにより形成されており、そして、大径部と小径部の間に形成される段部３５が、カラー２７の前進位置で前記筒体２０の内周面に形成された鍔部３６に係止して、筒体２０から前進方向への抜けだしが防止されるようになっている。
【００２３】
前記のように構成される施錠機構２１には、前記スリーブ２４の前進・後退を手動操作する手動操作部３７が設けられている。この手動操作部３７にあっては、本例では次のように構成されている。
【００２４】
前記筒体２０の外周に軸方向に摺動自在に嵌合した操作筒３８の先端部が前記スリーブ２４と一体に固定されている。更に詳細には、操作筒３８の先端部にスリーブ２４の外周に嵌合する内向き鍔部３９が形成され、この内向き鍔部３９がスリーブ２４の外周に形成された段部４０とストッパ４１で挟持されて固定されている。前記操作筒３８には、その両側に筒体２０の軸方向に後側へ伸びる支持部材４２が設けられ、支持部材４２には、操作ハンドル４３が設けられている。そして、操作にあっては、前記操作ハンドル４３を持ち、ソケット１にプラグ２を挿入し、プラグ２の係合溝が前記施錠子２２の係合可能な位置に達したときに前記操作ハンドル４３を前方に押し出すことによりスリーブ２４を前進させ、ソケット１にプラグ２とが接続された状態で、後方に引くことにより、スリーブ２
４を後退させるようになっている。
【００２５】
更に、前記ソケット１には、ソケット１とプラグ２が非接続状態にあるとき前記バルブ操作手段９による開操作を阻止し、ソケット流体通路４が開状態にあるとき前記施錠機構２１によるソケット１とプラグ２の分離操作を阻止する操作ロック手段４４を備えている。
【００２６】
前記操作ロック手段４４は前記スリーブ２４の手動操作部３７に前記バルブ開閉ハンドル１０方向に向けて突出して設けられた係止片４５と、前記バルブ開閉ハンドル１０の先端に設けられた係止部４６からなっている。係止片４５と係止部４６との位置関係にあっては、前記スリーブ２４が後退位置にあるとき、前記係止片４５がボールバルブ５が閉状態にあるときのバルブ開閉ハンドル１０の係止部４６に接近した位置にあって回転するバルブ開閉ハンドル１０の係止部４６に係止しその回転を阻止し、スリーブ２４が前進位置にあるとき、前記係止片４５がボールバルブ５が閉状態にあるときのバルブ開閉ハンドル１０の係止部４６から離反した位置にあってバルブ開閉ハンドル１０の回転を可能とし、該バルブ開閉ハンドル１０を回転させてボールバルブ５が開状態にあるとき、バルブ開閉ハンドル１０の係止部４６が前進位置にあるスリーブ２４の前記係止片４５に接近した位置にあって、後退するスリーブの前記係止片４５に係止してスリーブ２４の後退を阻止するようになっている。
【００２７】
前記係止片４５は前記スリーブ２４の手動操作部３７にボルト４７により固定されて設けられており、また、前記係止部４６は、前記バルブ開閉ハンドル１０の先端を突出させて設けられている。
【００２８】
前記ソケット本体３の２次側流体通路４ｂ内には、ソケット１とプラグ２の接続時にプラグ２の先端で押されて後退して２次側流体通路４ｂを開き、プラグ２の離脱により前進して２次側流体通路４ｂを閉じる可動弁４８が軸方向に移動自在に設けられている。２次側流体通路４ｂは、ボールバルブ５側が大径に、先端側が小径に形成されている。可動弁４８は、２次側流体通路４ｂの小径の部分を構成するソケット本体３内に摺動自在に嵌合されている。そして、２次側流体通路４ｂ内には、ボールバルブ５と可動弁４８との間に２次側空間４９が形成されている。
【００２９】
可動弁４８は、前端が開口し後端が閉鎖された筒状体からなり、後端の閉鎖部を弁頭５０とし、筒内を流体通路５１とし、筒壁には後端側に筒内外を連通する連通孔５２を形成した構成となっている。この可動弁４８の外周には、前記カラー２７の内周に筒体５３が摺動自在に嵌合しており、そして、この筒体５３は可動弁４８の先端部に設けたストップリング５４に係合し、それ以上の前進が阻止されている。この筒体５３はソケット本体３との間に介装されているスプリング５５により前進方向に付勢されており、可動弁４８も筒体５３を介してスプリング５５により前進方向に付勢された状態にある。弁頭５０には鍔部５６が形成されており、この鍔部５６が２次側流体通路４ｂの大径側で小径との境に形成された段部５７に係止することにより、可動弁４８の前進位置が規制されている。
【００３０】
そして、可動弁４８が前進位置にあるとき、２次側流体通路４ｂの小径側を構成するソケット本体３の内壁に装着したシールリング５８により、ソケット本体３の内壁と可動弁４８の弁頭５０の外周との間がシールされて２次側流体通路４ｂが閉じられ、可動弁４８が後退位置にあるとき、筒壁に形成された連通孔５２が２次側流体通路４ｂの大径側に開口して、２次側流体通路４ｂの大径側と可動弁４８の流体通路５１が連通する、即ち２次側流体通路４ｂが開くようになっている。
【００３１】
更に、本例にあっては、ボールバルブ５を回転させる前記ボールバルブ回転軸６の他端側も、ソケット本体３外に突出している。このボールバルブ回転軸６には、２次側流体通路４ｂ内でボールバルブ５と可動弁４８との間に形成される２次側空間４９内に開口するパージ入口５９とソケット流体通路４の外側に、本例ではソケット本体３の他側に突出している部分に開口するパージ出口６０を有するパージ通路６１が設けられている。
【００３２】
ソケット本体３には、パージ通路６１が形成されているボールバルブ回転軸６の端部が突出している側に、パージした流体を回収する流体回収通路６２が形成されている流体回収用通路体６３が固定されている。この流体回収用通路体６３に、パージ通路６１が形成されているボールバルブ回転軸６の端部が、一端が流体回収用通路体６３に開口する流体回収通路６２の開口端部に直交して接するように気密的に挿入されている。そして、パージ出口６０は、ボールバルブ回転軸６の回転角度の相違により流体回収通路６２と連通する状態と連通しない状態が得られるようになっていて、ボールバルブ回転軸６の回転角度が、ボールバルブ５のバルブ孔７がソケット流体通路４内で開口する角度にあるときパージ出口６０と流体回収通路６２とが連通しない状態にあり、ボールバルブ５のバルブ孔７がソケット流体通路４内で閉鎖した角度にあるときパージ出口６０と流体回収通路６２とが連通する状態が得られるようになっている。
【００３３】
このような構造のソケット１に接続されるプラグ２は、その先端部外周に、施錠子２２が係合する係合溝６４が形成されている。また、内部に形成されたプラグ流体通路６５内には、スプリング６６の付勢により前進してプラグ流体通路６５を閉じ、ソケット１側から供給される圧力流体の流体圧により後退してプラグ流体通路６５を開く可動弁６７が設けられている。
【００３４】
このように構成された管継手は、ソケット１とプラグ２の非接続状態では図１に示す状態にある。この状態では、ソケット１のソケット流体通路４に組み込まれているボールバルブ５のバルブ孔７はソケット流体通路４に開口しない角度にあって、ソケット流体通路４はボールバルブ５により閉じられている。また、ソケット流体通路４の２次側流体通路４ｂ内にある可動弁４８も前進位置にあり、２次側流体通路４ｂも可動弁４８により閉じられている。
【００３５】
また、施錠機構２１を構成するスリーブ２４は後退位置にあり、この後退位置にあるスリーブ２４と一体となって後退位置にある手動操作部３７の操作筒３８に設けられ操作ロック手段４４を構成する係止片４５が、バルブ開閉ハンドル１０の先端に設けられ操作ロック手段４４を構成する係止部４６に接近した位置にあり、この状態でボールバルブ５を回転させるボールバルブ回転軸６に設けられているバルブ操作手段９を構成するバルブ開閉ハンドル１０を図２で時計方向に回転してボールバルブ回転軸６を回転させようとしたとき、前記係止部４６が係止片４５に係止してバルブ開閉ハンドル１０を回転することができず、ボールバルブ５を開くことができない。
【００３６】
また、この状態にあるとき、図１に示すようにボールバルブ回転軸６に形成されているパージ通路６１のパージ出口６０は流体回収用通路体６２と連通する状態となっている。
【００３７】
また、施錠機構２１にあっては、スリーブ２４が後退位置にあり、カラー２７はスプリング２８で付勢されて前進位置にあって、その外周に設けられている押圧凸部３３で固定子３０を押圧した状態にあり、この固定子３０は押圧凸部３３の押圧を受けて遠心方向に移動し前記スリーブ２４の内周に形成されている係止溝３２に係止しており、前記スリーブ２４は後退位置に固定された状態にある。
【００３８】
かかる状態で、手動操作部３７の操作ハンドル４３を持って、ソケット１の先端部の筒体２０内をプラグ２に挿入した状態から押し込んで行くと、その挿入の過程でプラグ２の先端がカラー２７、筒体５３及び可動弁４８に当接し、カラー２７、筒体５３及び可動弁４８はスプリング２８，５５の弾発力に抗して後退する。図３は、ソケット１を構成する筒体２０に備えた施錠子２２が挿入したプラグ２の外周の係合溝６４に係合する過程の途中で、施錠子２２がプラグ２の係合溝６４に一部係合するも完全に係合する前の状態を示しており、この状態では前記スリーブ２４は前記固定子３０で後退位置に固定された状態にある。
【００３９】
前記プラグ２の挿入が進み、プラグ２の外周の係合溝６４が前記施錠子２２の真下に達したとき、前記プラグ２に押されて後退するカラー２７の外周に設けられている解放凹部３４が固定子３０の下位に達して遠心方向への押圧を解放し、前記スリーブ２４を固定していた固定子３０の求心方向への移動を可能にし、これにより、スリーブ２４の固定が解かれ、ここに至って初めてスリーブ２４の前進方向への移動が可能となる（図４）。
【００４０】
この状態で、さらに手動操作部３７の操作ハンドル４３を持っての手動操作で、操作筒３８を介してスリーブ２４を前進させると、前記プラグ２の外周の係合溝６４に前記施錠子２２が係合し、該係合溝６４に係合した施錠子２２が前記スリーブ２４により求心方向へ押さえられることにより、前記ソケット１とプラグ２が接続する。この状態では、可動弁４８がプラグ２で押されて後退していて、２次側流体通路４ｂが連通孔５２で流体通路５１に連通する状態になっている。このようにして前記スリーブ２４が前進方向に移動すると、一体となって前進方向に移動する操作筒３８に設けられている前記係止片４５が前記バルブ開閉ハンドル１０の先端に設けられている係止部４６から離反し、バルブ開閉ハンドル１０をボールバルブ５の開方向に回転することが可能となる（図５）。
【００４１】
かかる状態で、バルブ開閉ハンドル１０をボールバルブ５の開方向に回転すると、ボールバルブ５が開き、バルブ孔７が１次側流体通路４ａと２次側流体通路４ｂを連通させる状態になる。このようにして、バルブ開閉ハンドル１０をボールバルブ５の開方向に回転させ、ボールバルブ５が開いた状態となると、前記バルブ開閉ハンドル１０の先端に設けられている係止部４６が、前記スリーブ２４と一体となって前進位置にある係止片４５に接近した位置にあり、この状態でソケット１とプラグ２を分離しようとして手動操作部３７を操作してスリーブ２４を後退させようとしても、前記係止片４５が係止部４６に係止して後退させることができず、分離できない状態にある（図６）。
【００４２】
ソケット１とプラグ２を分離する場合は、前記バルブ開閉ハンドル１０をボールバルブ５の閉方向に回転させ、ボールバルブ５を閉じると、前記バルブ開閉ハンドル１０の先端に設けられている係止部４６が、前記スリーブ２４と一体となって前進位置にある係止片４５から離反する。この状態から、手動操作部３７の操作ハンドル４３を持って、該手動操作部３７を後退させることによりスリーブ２４を後退させることが可能となり、ソケット１とプラグ２を分離することができる。
【００４３】
【発明の効果】
プラグをソケットに接続するために、ソケット内で施錠子の没入を阻止していたカラーを後退させながらプラグをソケット内に挿入していったときに、何らかの理由により、該プラグがソケットから急激に引き抜かれたときでも、その状態では、スリーブはスリーブ固定手段により依然として固定されており施錠位置に向けて前進できない状態にあるので、プラグが引き抜かれたことによって開放されたカラーが前進され、施錠子を半径方向外方（遠心方向）に押し上げ、施錠機構が非ロックの状態に戻ることができる。従って、従来のソケットにあったような、プラグが接続されていない状態にもかかわらず施錠機構がロック状態になるというミスロックを防止することができる。
【図面の簡単な説明】
【図１】
本発明に係る管継手の実施の形態の一例のソケットとプラグの非接続状態を示す縦断面図である。
【図２】
本例のソケットの平面図である。
【図３】
本例で、ソケットにプラグの先端を挿入し始めてソケットの施錠子がプラグの外周の係合溝に収まる寸前の状態を示す要部縦断面図である。
【図４】
本例で、ソケットの施錠子がプラグの外周の係合溝に収まった状態を示す要部縦断面図である。
【図５】
本例で、ソケットとプラグが接続された状態を示す縦断面図である。
【図６】
本例で、ソケットとプラグの接続後にハンドルの操作でボールバルブを開いた状態を示す縦断面図である。
【符号の説明】
１    ソケット
２    プラグ
３    ソケット本体
４    ソケット流体通路
４ａ  １次側流体通路
４ｂ  ２次側流体通路
５    ボールバルブ
６    ボールバルブ回転軸
７    バルブ孔
８    ガイド
９    バルブ操作手段
１０  バルブ開閉ハンドル
１１，１２  押さえ部材
１３  シールリング
１４  固定筒体
１５  シールリング
１６  筒状シール体
１７  スプリング
１８  段部
１９  シールリング
２０  筒体
２１  施錠機構
２２  施錠子
２３  施錠子嵌合孔
２４  外側可動部材（スリーブ）
２５  ストッパ
２６  ストッパ兼保護筒
２７  内側可動部材（カラー）
２８  付勢部材（スプリング）
２９  スリーブ固定手段
３０  固定子
３１  固定子嵌合孔
３２  係止溝
３３  押圧凸部
３４  解放凹部
３５  段部
３６  鍔部
３７  手動操作部
３８  操作筒
３９  内向き鍔部
４０  段部
４１  ストッパ
４２  支持部材
４３  操作ハンドル
４４  操作ロック手段
４５  係止片
４６  係止部
４７  ボルト
４８  可動弁
４９  ２次側空間
５０  弁頭
５１  流体通路
５２  連通孔
５３  筒体
５４  ストップリング
５５  スプリング
５６  鍔部
５７  段部
５８  シールリング
５９  パージ入口
６０  パージ出口
６１  パージ通路
６２  流体回収通路
６３  流体回収用通路体
６４  （施錠子受入れ凹部）係合溝
６５  プラグ流体通路
６６  スプリング
６７  可動弁
Ｈ    ホース
【手続補正２】
【補正対象書類名】図面
【補正対象項目名】図３
【補正方法】変更
【補正の内容】
【図３】
2004293568.tif 000001
【手続補正３】
【補正対象書類名】図面
【補正対象項目名】図４
【補正方法】変更
【補正の内容】
【図４】
2004293568.tif 000002
【手続補正４】
【補正対象書類名】図面
【補正対象項目名】図５
【補正方法】変更
【補正の内容】
【図５】
2004293568.tif 000003
【手続補正５】
【補正対象書類名】図面
【補正対象項目名】図６
【補正方法】変更
【補正の内容】
【図６】
2004293568.tif 000004